(57)【要約】【課題】空気調和装置のケーシングを固定する締結具への負担を軽減する。【解決手段】平面視で長方形状のケーシング１１の内部に、熱交換器１３と送風ファン１５とが収容され、ケーシング１１の上面に空気の流入口２６と流出口２７とが形成された空気調和装置１０であって、ケーシング１１は、その底部２１における２つの長辺部２１ａが、それぞれ当該長辺部２１ａの長手方向の両端側に偏って複数本ずつ配置された締結具２３によって設置面２２に固定される。【選択図】      図３
2014129939.tif 000002
【特許請求の範囲】
【請求項１】
平面視で長方形状のケーシング（１１）の内部に、熱交換器（１３）と送風ファン（１５）とが収容され、前記ケーシング（１１）の上面に空気の流入口（２６）と流出口（２７）とが形成された空気調和装置であって、
前記ケーシング（１１）は、その底部（２１）における２つの長辺部（２１ａ）が、それぞれ当該長辺部（２１ａ）の長手方向の両端側に偏って複数本ずつ配置された締結具（２３）によって設置面（２２）に固定されることを特徴とする空気調和装置。
【請求項２】
前記長辺部（２１ａ）の長手方向の各端部には、以下に定義される領域Ａがそれぞれ設定され、前記締結具（２３）が、各領域Ａ内に複数本ずつ配置されている請求項１に記載の空気調和装置。
領域Ａ：前記長辺部（２１ａ）の全長Ｌ１の２３％に相当する領域
【発明の詳細な説明】
【技術分野】
【０００１】
本発明は、空気調和装置に関する。
【背景技術】
【０００２】
下記特許文献１には、ケーシングの内部に送風ファンや熱交換器が収容され、ケーシングの上面に空気の流入口と流出口とが形成されたエアハンドリングタイプの空気調和装置が開示されている。この空気調和装置は、送風ファンによって流入口から取り入れた空気を熱交換器によって冷却または加熱して流出口から吹き出すように構成されている。また、この種の空気調和装置においては、流出口からの空気の吹き出し音を低減するため、ケーシングの上面に消音チャンバが搭載されることもある。
【先行技術文献】
【特許文献】
【０００３】
【特許文献１】特開平１０−３０６９２７号公報
【発明の概要】
【発明が解決しようとする課題】
【０００４】
特許文献１記載の空気調和装置は、通常、設置面に植設された複数本のアンカーボルトによってケーシングの底部が固定される。しかし、地震等の発生によってケーシングに大きな揺れが生じると、アンカーボルトには大きな負担がかかる。特に、ケーシングの上面に重量物である消音チャンバが搭載されると、アンカーボルトに対する負担はより増大する。
【０００５】
本発明は、上記のような実情に鑑み、ケーシングを固定する締結具への負担を軽減することができる空気調和装置を提供することを目的とする。
【課題を解決するための手段】
【０００６】
平面視で長方形状のケーシングの内部に、熱交換器とファンとが収容され、前記ケーシングの上面に空気の流入口と流出口とが形成された空気調和装置であって、
前記ケーシングは、その底部における２つの長辺部が、それぞれ当該長辺部の長手方向の両端側に偏って複数本ずつ配置された締結具によって設置面に固定されることを特徴とする。
【０００７】
本願の発明者は、地震等の揺れによって空気調和装置のケーシングに生じる応力や変形について詳しく解析した。その結果、空気調和装置のケーシングは、平面視長方形状の長辺に沿う方向の荷重よりも短辺に沿う方向の荷重によって変形や応力が大きくなる傾向にあることを知得した。したがって、本発明においては、ケーシングの底部における長辺部を設置面に締結具で固定することによって、ケーシングの短辺に沿う方向の荷重に適切に抗することができる。さらに、ケーシングは、長辺部の長手方向両端に配置された側面パネルの近傍において剛性が高く、長手方向中央側では相対的に剛性が低くなる。そのため、仮に、ケーシングの長辺部に対して複数本の締結具を等間隔に配置したとすると、剛性の低い長手方向中央部においてはケーシング自体が大きく変形することによって締結具にかかる荷重が小さくなるが、剛性の高い長手方向両端部においてはケーシング自体の変形が小さいために締結具には大きな荷重がかかる。そのため、各締結具が受け持つ負担が不均一になり、一部の締結具の耐久性が低下する。本発明では、比較的剛性の高いケーシングの長辺部の長手方向両端側に偏って複数本の締結具を配置することで、各締結具にかかる荷重を適切に分散して均一化し、一部の締結具に過度な負担がかかるのを防止することができる。
【０００８】
上記構成において、前記長辺部の長手方向の各端部には、以下に定義される領域Ａがそれぞれ設定され、前記締結具が、各領域Ａ内に複数本ずつ配置されていることが好ましい。
領域Ａ：前記長辺部の全長の２３％に相当する領域
このような構成によって、各締結具にかかる荷重を略均一に分散することができる。
【発明の効果】
【０００９】
本発明によれば、空気調和装置のケーシングを固定する締結具への負担を軽減することができる。
【図面の簡単な説明】
【００１０】
【図１】本発明の実施の形態に係る空気調和装置の全体斜視図である。
【図２】空気調和装置の断面説明図である。
【図３】ケーシングの底面説明図である。
【図４】比較例に係るケーシングの底面説明図である。
【発明を実施するための形態】
【００１１】
以下、図面を参照して本発明の実施の形態を詳細に説明する。
図１は、本発明の実施の形態に係る空気調和装置の全体斜視図である。図２は、空気調和装置の断面説明図である。
本実施の形態の空気調和装置１０は、ケーシング１１の内部に、エアフィルタ１２、熱交換コイル１３、加湿器１４、送風ファン１５等を備えている、所謂エアハンドリングユニットである。この空気調和装置１０のケーシング１１は、平面形状が長方形の直方体形状に形成され、複数の外壁パネル１６〜２０を有している。外壁パネルは、前面パネル１６、背面パネル１７、側面パネル１８、上面パネル１９、底面パネル２０からなる。底面パネル２０の下面には、略長方形の枠体からなる土台（底部）２１が設けられ、この土台２１は、床面（設置面）２２に植設されたアンカーボルト（締結具）２３によって固定されている。
【００１２】
上面パネル１９には、空気の流入口２６が形成されている。この流入口２６は、室外に連通する外気吸込口２６ａと、室内に連通する内気還気口２６ｂとからなる。また、上面パネル１９には、空気の流出口２７が形成されている。流入口２６は上面パネル１９の右側に偏って形成され、流出口２７は、上面パネル１９の左側に偏って形成されている。
ケーシング１１の内部は、仕切り板２９によって第１室Ｓ１と第２室Ｓ２とに区画されている。前述の流入口２６は第１室Ｓ１に連通され、流出口２７は第２室Ｓ２に連通されている。
【００１３】
仕切り板２９には空気を流通させるための開口が形成され、この開口の部分に、エアフィルタ１２、熱交換コイル１３、加湿器１４が並べて配置されている。そして、第１室Ｓ１内の空気は、エアフィルタ１２、熱交換コイル１３、及び加湿器１４を通過して第２室Ｓ２に流入する。
【００１４】
熱交換コイル１３は、冷水コイル１３ａと、温水コイル１３ｂとからなる。そして、冷水コイル１３ａには機外の熱源機から冷水が供給され、この冷水によって空気が冷却される。一方、温水コイル１３ｂには機外の熱源機から温水が供給され、この温水によって空気が加熱される。
【００１５】
したがって、エアフィルタ１２を通過した空気は、冷水コイル１３ａを流れる冷水又は温水コイル１３ｂを流れる温水との間で熱交換することによって温度が調整される。また、温度が調整された空気は、加湿器１４を通過することによって湿度も調整され、その後、第２室Ｓ２に流入する。
【００１６】
送風ファン１５は、第２室Ｓ２に配置されている。送風ファン１５は、羽根車３１と、この羽根車３１を収容するハウジング３２とを有している。ハウジング３２の下部には、羽根車３１が収容され、この羽根車３１の近傍に吸気口３２ａが形成されている。ハウジング３２は上面パネル１９まで延び、その上端には流出口２７に接続される吹出口３２ｂが形成されている。
【００１７】
ハウジング３２の下方には、モータ３３が配置されている。このモータ３３の出力軸と、羽根車３１の回転軸とは、ベルト伝動機構３４によって連動連結され、このモータ３３によって送風ファン１５が駆動される。そして、送風ファン１５の駆動によって、第１室Ｓ１から第２室Ｓ２へ流れる空気流が形成され、流入口２６から第１室Ｓ１に取り入れられた空気は、熱交換コイル１３及び加湿器１４によって温度及び湿度が調整された後に、第２室Ｓ２を経て流出口２７から排出される。そして、流出口２７から排出された空気は、ダクト等を介して室内に送られる。
【００１８】
ケーシング１１の上部には、流出口２７から排出される空気の吹出音を低減するための消音チャンバ３５が配置されることがある。この消音チャンバ３５は、例えば、空気調和装置１０のケーシング１１と同様に平面視で長方形状に形成され、ケーシング１１の上面パネル１９に固定される。この空気調和装置１０の重量は、５００ｋｇ程度であるのに対して、消音チャンバ３５の重量は１５０ｋｇ程度もあり、消音チャンバ３５は、かなりの重量物となっている。したがって、空気調和装置１０に消音チャンバ３５を搭載した場合には、床面２２に対してより強固に空気調和装置１０を固定し、地震等の揺れによる対策を施すことが要求される。
【００１９】
そのため、本実施の形態では、ケーシング１１の土台２１を固定するアンカーボルト２３の配置に工夫を施すことによって、空気調和装置１０を強固に床面２２に固定できるようにしている。以下、この点について詳細に説明する。
図３は、ケーシング１１の底面説明図である。ケーシング１１の下面に設けられた土台２１は、ケーシング１１の平面形状に略沿ったかたちで、長方形の枠形状に形成されている。具体的に、土台２１は、互いに平行に配置された一対の長辺部２１ａと、互いに平行に配置された一対の短辺部２１ｂとを有している。そして、この土台２１は、複数本のアンカーボルト２３によって床面２２に固定されている。
【００２０】
本実施の形態では、８本のアンカーボルト２３によって土台２１が固定されている。より具体的には、一対の長辺部２１ａが、それぞれ４本のアンカーボルト２３によって固定されている。また、各長辺部２１ａにおいて、４本のアンカーボルト２３は、等間隔に配置されるのではなく、長辺部２１ａの長手方向の両端側に偏って配置されている。
【００２１】
複数本のアンカーボルト２３は、長辺部２１ａの長さ方向の両端側に設定された領域Ａ内に振り分けて配置されている。この領域Ａの長さＬ２は、例えば、長辺部２１ａの全長Ｌ１の２５％未満、より好ましくは、２３％に設定することができる。そして、各長辺部２１ａの長さ方向両端側に偏って配置された各２本のアンカーボルト２３は、領域Ａを間隔ａ１で等分するように配置されている。
【００２２】
また、別の観点から見ると、各長辺部２１ａを固定する複数本のアンカーボルト２３ａは、当該長辺部２１ａの長手方向の中央部側では相互の間隔が広く、長手方向の端部側では相互の間隔が狭くなるように配置されている。
さらに、別の観点から見ると、長辺部２１ａの長手方向の中心位置Ｃと、その両側に配置されたアンカーボルト２３ａとの間隔をａ２とし、当該アンカーボルト２３ａと、その両側に配置されたアンカーボルト２３ｂとの間隔をａ１とした場合、両間隔は、ａ１＜ａ２の関係を満たしている。
【００２３】
本願の発明者は、まず、空気調和装置１０のケーシング１１に対して、長辺に沿った方向（以下、「長辺方向」という）Ｘと短辺に沿った方向（以下、「短辺方向」という）Ｙのそれぞれの方向に水平荷重を付与した場合に、ケーシング１１に対してどの程度の変形と応力が生じるかを解析した。この解析により、長辺方向Ｘの荷重よりも短辺方向Ｙの荷重のほうがケーシング１１に生じる変形や応力が大きくなるという結果を得た。そのため、短辺方向Ｙの荷重に抗してケーシング１１を強固に固定することができるように、土台２１の長辺部２１ａに全てのアンカーボルト２３を配置した。
【００２４】
また、ケーシング１１は、長辺方向Ｘの両端に側面パネル１８が設けられているので、当該両端における剛性が高くなり、長辺方向Ｘの中央側ほど剛性が低くなっている。そのため、短辺方向Ｙに沿った荷重が付与されると、長辺方向Ｘの両端側ではケーシング１１の変形は小さくなり、中央側ではケーシング１１の変形は大きくなる。そのため、例えば、図４に示されるように、全てのアンカーボルト２３を等間隔ａ３で配置した場合、ケーシング１１の中央側のアンカーボルト２３ａに対する荷重は小さくなり、その分、ケーシング１１の両端側のアンカーボルト２３ｂに対してより大きな荷重がかかる。そのため、一部のアンカーボルト２３ｂの負担が過大となり、耐久性が問題となる。
【００２５】
したがって、本実施の形態においては、図３に示されるように、複数本のアンカーボルト２３を長辺部２１ａ全体に等間隔で配置するのではなく、より荷重が大きくなる長さ方向の両端側に偏って配置している。したがって、各アンカーボルト２３には略均等に荷重を分散することができ、一部のアンカーボルト２３に対して過大な荷重が付与されるのを防止することができ、各アンカーボルト２３の耐久性を高めることができる。
【００２６】
本発明は、上記実施の形態に限定されることなく、特許請求の範囲に記載された発明の範囲内において適宜変更することができる。例えば、空気調和装置１０の内部における各機器の配置や詳細な構成などは適宜変更することができる。また、本発明は、ケーシング１１の上部に消音チャンバのような重量物が搭載される空気調和装置１０に対して好適に適用することができるが、必ずしも当該重量物が搭載されていなくてもよい。
【００２７】
また、土台２１における各長辺部２１ａの各領域Ａには、２本のアンカーボルト２３に限らず、３本以上のアンカーボルト２３が配置されていてもよい。また、領域Ａには、複数本のアンカーボルト２３が不均一な間隔で配置されていてもよい。
【符号の説明】
【００２８】
１０      ：空気調和装置
１１      ：ケーシング
１３      ：熱交換コイル（熱交換器）
１５      ：送風ファン
２１      ：土台（底部）
２１ａ    ：長辺部
２１ｂ    ：短辺部
２２      ：床面（設置面）
２３      ：アンカーボルト（締結具）
２６      ：流入口
２７      ：流出口
３５      ：消音チャンバ
Ａ        ：領域
Ｌ１      ：長辺部の全長
【図１】
2014129939.tif 000003
【図２】
2014129939.tif 000004
【図３】
2014129939.tif 000005
【図４】
2014129939.tif 000006